(57)【要約】【課題】非接触温度センサの汚れによって生じる検知誤差を補正し、定着部材の温度を正確に検知することができる定着装置および画像形成装置を提供すること。【解決手段】本発明の定着装置は、定着ローラ９１の温度を検知する温度検知手段と、ヒータ９３の駆動を制御する制御手段とを有し、前記温度検知手段は、定着ローラ９１の非通紙領域９１ｂでの温度を検知する接触温度センサ９４１と、定着ローラ９１の非通紙領域９１ｂでの温度を検知する非接触温度センサ９４２と、定着ローラ９１の通紙領域９１ａでの温度を検知する非接触温度センサ９４３と、接触温度センサ９４１および非接触温度センサ９４２により検知された温度の温度差に応じて、非接触温度センサ９４３によって検知された温度を補正する補正手段とを備え、前記制御手段は、前記補正手段により補正された温度情報に基づいてヒータ９３の駆動を制御するよう構成されている。【選択図】図３
2007316169.tif 000002
【特許請求の範囲】
【請求項１】
互いに圧接回転する定着部材および加圧部材と、前記定着部材を加熱するヒータとを有し、前記定着部材と前記加圧部材との間に、未定着像を担持する記録媒体を通過させて、前記記録媒体を加熱・加圧することにより、前記未定着像を前記記録媒体に定着させる定着装置であって、
前記定着部材の温度を検知する温度検知手段と、
前記ヒータの駆動を制御する制御手段とを有し、
前記温度検知手段は、前記定着部材の外周面における前記記録媒体の非通過領域に接触して配置され、前記定着部材の温度を検知する接触温度検知素子と、
前記定着部材に対し非接触で設置され、前記定着部材の外周面における前記記録媒体の非通過領域での前記定着部材の温度を検知する第１の非接触温度検知素子と、
前記定着部材に対し非接触で設置され、前記定着部材の外周面における前記記録媒体の通過領域での前記定着部材の温度を検知する第２の非接触温度検知素子と、
前記接触温度検知素子によって検知された温度と、前記第１の非接触温度検知素子によって検知された温度との温度差ΔＴに応じて、前記第２の非接触温度検知素子によって検知された温度を補正する補正手段とを備え、
前記制御手段は、前記補正手段により補正された温度情報に基づいて前記ヒータの駆動を制御するよう構成されていることを特徴とする定着装置。
【請求項２】
前記第１の非接触温度検知素子の検知部位は、前記定着部材の前記接触温度検知素子との接触部位の近傍である請求項１に記載の定着装置。
【請求項３】
前記第１の非接触温度検知素子および前記第２の非接触温度検知素子は、同一のケーシングに収容されている請求項１または２に記載の定着装置。
【請求項４】
前記第１の非接触温度検知素子は、第１のケーシングに収容されており、
前記第２の非接触温度検知素子は、第２のケーシングに収容されている請求項１または２に記載の定着装置。
【請求項５】
前記第１のケーシングおよび前記第２のケーシングは、ほぼ同じ位置に設置されている請求項４に記載の定着装置。
【請求項６】
前記第１のケーシングおよび前記第２のケーシングは、前記定着部材の周方向に沿って並設されている請求項５に記載の定着装置。
【請求項７】
前記第１の非接触温度検知素子および前記第２の非接触温度検知素子は、それぞれサーモパイル素子である請求項１ないし６のいずれかに記載の定着装置。
【請求項８】
前記定着部材の少なくとも一部を覆うように設置されたカバー部材と、
前記カバー部材と前記定着部材とで区画形成された空間で、前記定着部材と前記加圧部材との間から前記第１の非接触温度検知素子および前記第２の非接触温度検知素子へ向けての気流を遮断する遮断手段とを有し、
前記遮断手段により前記気流を遮断することで、前記定着部材と前記加圧部材との間を前記記録媒体が通過することにより発生する浮遊物が前記第１の非接触温度検知素子および第２の非接触温度検知素子に付着することを防止するよう構成されている請求項１ないし７のいずれかに記載の定着装置。
【請求項９】
前記補正手段は、前記温度差ΔＴに応じた補正係数を算出し、前記補正係数を用いて前記第２の非接触温度検知素子によって検知された温度を補正し、また、前記補正係数を所定期間ごとに更新する請求項１ないし８のいずれかに記載の定着装置。
【請求項１０】
前記補正手段は、前記補正係数の更新を、定着時には行わない請求項９に記載の定着装置。
【請求項１１】
前記補正手段は、前記補正係数の更新を、所定枚数の記録媒体を定着するごとに行う請求項１０に記載の定着装置。
【請求項１２】
露光・帯電・転写・定着を含む一連の画像形成プロセスにより画像を記録媒体に形成する画像形成装置であって、
請求項１ないし１１のいずれかに記載の定着装置を備えることを特徴とする画像形成装置。
【発明の詳細な説明】
【技術分野】
【０００１】
本発明は、定着装置および画像形成装置に関するものである。
【背景技術】
【０００２】
電子写真方式を採用するプリンタ、複写機、ファクシミリなどの画像形成装置は、露光、現像、転写、定着のプロセスにより、紙などの記録媒体上に、トナーからなる画像を形成する（例えば、特許文献１参照）。このような画像形成装置には、トナーにより形成されたトナー像を未定着状態で担持する紙等の記録媒体に加熱および加圧することにより、前記トナー像を前記記録媒体に定着させる定着装置が備えられている。
【０００３】
かかる定着装置は、一般に、互いに圧接回転する円柱状または円筒状の定着ローラおよび加圧ローラと、この定着ローラを加熱するハロゲンヒータとを有している。前記定着ローラおよび前記加圧ローラの前記圧接により形成されたニップに、記録媒体を通紙することにより、前記記録媒体を加熱および加圧して、前記記録媒体上に形成されたトナー像を前記記録媒体に定着させる。
【０００４】
また、このような定着装置は、定着ローラの表面温度を検知する温度センサが設けられ、この温度センサによる表面温度の検知に基づいてヒータの駆動が制御されるように構成されている。
このような温度センサとしては、サーミスタ素子を用いた接触温度センサと、赤外線センサなどの非接触温度センサとが存在する。このうち、非接触温度センサは、加熱ローラの表面と接触しないので、加熱ローラの耐久性を向上させることができる。また、センサの応答性もよい。このため、近年では、赤外線を用いた非接触温度センサが用いられている。
【０００５】
しかし、定着ローラの回転により生ずる気流などの影響により定着装置内に浮遊するトナーなどが非接触温度センサに付着する場合がある。このように、トナーが非接触温度センサに付着すると、赤外線の入光量が減少し、非接触温度センサによって検知された温度が定着ローラの実際の温度よりも低くなるという問題が生じ、非接触温度センサの信頼性が低下する。その結果、定着部材の温度を目標温度に保つことが困難となり、定着装置の定着特性が低下するという問題が生じる。
【０００６】
【特許文献１】特開２００２−２０７３９２号公報
【発明の開示】
【発明が解決しようとする課題】
【０００７】
本発明の目的は、非接触温度センサの汚れによって生じる検知誤差を補正し、定着部材の温度を正確に検知することができる定着装置および画像形成装置を提供することにある。
【課題を解決するための手段】
【０００８】
このような目的は、下記の本発明により達成される。
本発明の定着装置は、互いに圧接回転する定着部材および加圧部材と、前記定着部材を加熱するヒータとを有し、前記定着部材と前記加圧部材との間に、未定着像を担持する記録媒体を通過させて、前記記録媒体を加熱・加圧することにより、前記未定着像を前記記録媒体に定着させる定着装置であって、
前記定着部材の温度を検知する温度検知手段と、
前記ヒータの駆動を制御する制御手段とを有し、
前記温度検知手段は、前記定着部材の外周面における前記記録媒体の非通過領域に接触して配置され、前記定着部材の温度を検知する接触温度検知素子と、
前記定着部材に対し非接触で設置され、前記定着部材の外周面における前記記録媒体の非通過領域での前記定着部材の温度を検知する第１の非接触温度検知素子と、
前記定着部材に対し非接触で設置され、前記定着部材の外周面における前記記録媒体の通過領域での前記定着部材の温度を検知する第２の非接触温度検知素子と、
前記接触温度検知素子によって検知された温度と、前記第１の非接触温度検知素子によって検知された温度との温度差ΔＴに応じて、前記第２の非接触温度検知素子によって検知された温度を補正する補正手段とを備え、
前記制御手段は、前記補正手段により補正された温度情報に基づいて前記ヒータの駆動を制御するよう構成されていることを特徴とする。
【０００９】
これにより、前記第２の非接触温度検知素子にトナーなどの汚れが付着することにより、前記第２の非接触温度検知素子によって検知された前記定着部材の温度と、前記定着部材の実際の温度とで温度差が生じる場合であっても、前記第１の非接触温度検知素子の汚れ具合に応じて前記第２の非接触温度検知素子によって検知された温度を前記補正手段により補正することができるため、前記定着装置は、長期にわたり高精度な温度情報を得ることができる。
【００１０】
本発明の定着装置では、前記第１の非接触温度検知素子の検知部位は、前記定着部材の前記接触温度検知素子との接触部位の近傍であることが好ましい。
これにより、前記第１の非接触温度検知素子は、前記接触温度検知素子の検知部位とほぼ同じ部位で前記定着部材の表面温度を検知することができる。その結果、前記第１の非接触温度検知素子の検知温度と前記接触温度検知素子の検知温度とは、ほぼ同一であるとみなすことができる。
【００１１】
本発明の定着装置では、前記第１の非接触温度検知素子および前記第２の非接触温度検知素子は、同一のケーシングに収容されていることが好ましい。
これにより、部品点数を減らすことができ、製造コストを削減することができる。
本発明の定着装置では、前記第１の非接触温度検知素子は、第１のケーシングに収容されており、
前記第２の非接触温度検知素子は、第２のケーシングに収容されていることが好ましい。
これにより、前記第１の非接触温度検知素子と前記第２の非接触温度検知素子とは、それぞれ個別のケーシングに収容されることとなり、前記第１の非接触温度検知素子と前記第２の非接触温度検知素子のそれぞれの位置、角度などの設置の自由度が拡大する。
【００１２】
本発明の定着装置では、前記第１のケーシングおよび前記第２のケーシングは、ほぼ同じ位置に設置されていることが好ましい。
これにより、前記第１の非接触温度検知素子の汚れ具合と、前記第２の非接触温度検知素子の汚れ具合とは、ほぼ同一であるとみなすことができる。
本発明の定着装置では、前記第１のケーシングおよび前記第２のケーシングは、前記定着部材の周方向に沿って並設されていることが好ましい。
これにより、前記第１の非接触温度検知素子の汚れ具合と、前記第２の非接触温度検知素子の汚れ具合とは、ほぼ同一であるとみなすことができる。
本発明の定着装置では、前記第１の非接触温度検知素子および前記第２の非接触温度検知素子は、それぞれサーモパイル素子であることが好ましい。
これにより、温度検知の応答性を優れたものとすることができ、前記定着部材のより正確な温度を検知することができる。
【００１３】
本発明の定着装置では、前記定着部材の少なくとも一部を覆うように設置されたカバー部材と、
前記カバー部材と前記定着部材とで区画形成された空間で、前記定着部材と前記加圧部材との間から前記第１の非接触温度検知素子および前記第２の非接触温度検知素子へ向けての気流を遮断する遮断手段とを有し、
前記遮断手段により前記気流を遮断することで、前記定着部材と前記加圧部材との間を前記記録媒体が通過することにより発生する浮遊物が前記第１の非接触温度検知素子および第２の非接触温度検知素子に付着することを防止するよう構成されていることが好ましい。
これにより、前記第１の非接触温度検知素子および前記第２の非接触温度検知素子に汚れが付着することを抑制することができ、前記第１の非接触温度検知素子および前記第２の非接触温度検知素子の過度な汚れを長期にわたり防止することができる。その結果、前記補正手段による温度補正をより正確に行うことができる。
【００１４】
本発明の定着装置では、前記補正手段は、前記温度差ΔＴに応じた補正係数を算出し、前記補正係数を用いて前記第２の非接触温度検知素子によって検知された温度を補正し、また、前記補正係数を所定期間ごとに更新することが好ましい。
これにより、前記定着装置の使用時間とともに変化する前記ΔＴに応じて前記補正係数を更新することができ、実際の第１の非接触温度検知素子の汚れ具合に応じた前記補正係数に基づいて前記第２の非接触温度検知素子によって検知された温度を補正することができる。
【００１５】
本発明の定着装置では、前記補正手段は、前記補正係数の更新を、定着時には行わないことが好ましい。
これにより、定着部材の表面温度を目標温度付近に保つことができる。
本発明の定着装置では、前記補正手段は、前記補正係数の更新を、所定枚数の記録媒体を定着するごとに行うことが好ましい。
これにより、定期的に前記補正係数を更新することができ、前記第１の非接触温度検知素子の実際の汚れ具合に応じた前記補正係数に基づいて前記第２の非接触温度検知素子によって検知された温度を補正することができる。
【００１６】
本発明の画像形成装置は、露光・帯電・転写・定着を含む一連の画像形成プロセスにより画像を記録媒体に形成する画像形成装置であって、
本発明の定着装置を備えることを特徴とする。
これにより、定着特性に優れた画像形成装置を提供することができる。
【発明を実施するための最良の形態】
【００１７】
以下、本発明の定着装置および画像形成装置の好適な実施形態を添付図面に基づいて説明する。
＜第１実施形態＞
＜画像形成装置＞
まず、本発明の画像形成装置、すなわち本発明の現像装置を備える画像形成装置を簡単に説明する。
【００１８】
図１は、本発明にかかる画像形成装置の１実施形態を示す全体構成の模式的断面図である。
図１に示す本実施形態の画像形成装置１０は、主として露光・現像・転写・定着を含む一連の画像形成プロセスによって画像を記録媒体に記録するものである。このような画像形成装置１０は、図１に示すように、静電的な潜像を担持し図示矢印方向に回転する感光体２０を有し、その回転方向に沿って順次、帯電ユニット３０、露光ユニット４０、現像ユニット５０、一次転写ローラ６０、クリーニングユニット７５が配設されている。また、画像形成装置１０は、図１にて下部に、紙などの記録媒体Ｐを収容する給紙トレイ８２が設けられ、その給紙トレイ８２に対して記録媒体Ｐの搬送方向下流に、二次転写ローラ８０、定着装置９０が記録媒体Ｐの搬送方向に沿って順次配設されている。また、画像形成装置１０には、記録媒体の両面に画像を形成する場合に、定着装置９０によって一方の面に定着処理された記録媒体Ｐを表裏反転させて二次転写ローラ８０へ帰還させるための搬送部８８が設けられている。
【００１９】
感光体２０は、円筒状の導電性基材（図示せず）と、その外周面に形成された感光層（図示せず）とを有し、その軸線まわりに図１中矢印方向に回転可能となっている。
帯電ユニット３０は、コロナ帯電などにより感光体２０の表面を一様に帯電するための装置である。
露光ユニット４０は、図示しないパーソナルコンピュータなどのホストコンピュータから画像情報を受けこれに応じて、一様に帯電された感光体２０上に、レーザを照射することによって、静電的な潜像を形成する装置である。
【００２０】
現像ユニット５０は、ブラック現像装置５１と、マゼンタ現像装置５２と、シアン現像装置５３と、イエロー現像装置５４との４つの現像装置を有し、これらの現像装置を感光体２０上の潜像に対応して選択的に用いて、前記潜像をトナー像（現像剤像）として可視化する装置である。この装置では、現像剤として、ブラック現像装置５１はブラック（Ｋ）トナー、マゼンタ現像装置５２はマゼンタ（Ｍ）トナー、シアン現像装置５３はシアン（Ｃ）トナー、イエロー現像装置５４はイエロー（Ｙ）トナーを用いて現像を行う。
【００２１】
本実施形態におけるＹＭＣＫ現像ユニット５０は、前述の４つの現像装置５１、５２、５３、５４を選択的に感光体２０に対向するように、回転可能となっている。具体的には、このＹＭＣＫ現像ユニット５０は、軸５０ａを中心として回転可能な保持体５５の４つの保持部５５ａ、５５ｂ、５５ｃ、５５ｄにそれぞれ４つの現像装置５１、５２、５３、５４が保持されており、保持体５５の回転により、４つの現像装置５１、５２、５３、５４が相対位置関係を維持したまま、感光体２０に選択的に対向するようになっている。各現像装置５１、５２、５３、５４は、本発明の現像剤担持体の製造方法を用いて製造された現像剤担持体を備えるものである。なお、各現像装置５１、５２、５３、５４については、後に詳述する。
【００２２】
中間転写体６１は、エンドレスベルト状の中間転写ベルト７０を有し、この中間転写ベルト７０は、一次転写ローラ６０、従動ローラ７２、駆動ローラ７１で張架されており、駆動ローラ７１の回転により、図１に示す矢印方向に、感光体２０とほぼ同じ周速度にて回転駆動される。
一次転写ローラ６０は、感光体２０に形成された単色のトナー像を中間転写ベルト７０に転写するための装置である。
【００２３】
中間転写ベルト７０上には、ブラック、マゼンタ、シアン、イエローのうちの少なくとも１色のトナー像が担持され、例えばフルカラー画像の形成時に、ブラック、マゼンタ、シアン、イエローの４色のトナー像が順次重ねて転写されて、フルカラーのトナー像が形成される。本実施形態では、駆動ローラ７１が、後述する二次転写ローラ８０のバックアップローラとしても機能する。また、一次転写ローラ６０、駆動ローラ７１、従動ローラ７２は、基体７３によって支持されている。
【００２４】
二次転写ローラ８０は、中間転写ベルト７０上に形成された単色やフルカラーなどのトナー像を、紙、フィルム、布等の記録媒体Ｐに転写するための装置である。
定着装置９０は、前記トナー像の転写を受けた記録媒体Ｐを加熱および加圧することにより、前記トナー像を記録媒体Ｐに融着させて永久像として定着させるための装置である。
クリーニングユニット７５は、一次転写ローラ６０と帯電ユニット３０との間で感光体２０の表面に当接するゴム製のクリーニングブレード７６を有し、一次転写ローラ６０によって中間転写ベルト７０上にトナー像が転写された後に、感光体２０上に残存するトナーをクリーニングブレード７６により掻き落として除去するための装置である。
【００２５】
搬送部８８は、定着装置９０によって一方の面に定着処理された記録媒体Ｐを挟持搬送する搬送ローラ対８８Ａ、８８Ｂと、搬送ローラ対８８Ａ、８８Ｂによって搬送される記録媒体Ｐを表裏反転しつつレジローラ８６へ向け案内する搬送路８８Ｃとを備えている。これにより、記録媒体の両面に画像形成する場合に、定着装置９０によって一方の面に定着処理された記録媒体Ｐを表裏反転して二次転写ローラ８０へ帰還させる。
【００２６】
次に、このように構成された画像形成装置１０の動作を説明する。
まず、図示しないホストコンピュータからの指令により、感光体２０、現像ユニット５０に設けられた現像ローラ（図示せず）、および中間転写ベルト７０が回転を開始する。そして、感光体２０は、回転しながら、帯電ユニット３０により順次帯電される。
感光体２０の帯電された領域は、感光体２０の回転に伴って露光位置に至り、露光ユニット４０によって、第１色目、例えばイエローＹの画像情報に応じた潜像が前記領域に形成される。
【００２７】
感光体２０上に形成された潜像は、感光体２０の回転に伴って現像位置に至り、イエロー現像装置５４によってイエロートナーで現像される。これにより、感光体２０上にイエロートナー像が形成される。このとき、ＹＭＣＫ現像ユニット５０は、イエロー現像装置５４が、前記現像位置にて感光体２０と対向している。
感光体２０上に形成されたイエロートナー像は、感光体２０の回転に伴って一次転写位置（すなわち、感光体２０と一次転写ローラ６０との対向部）に至り、一次転写ローラ６０によって、中間転写ベルト７０に転写（一次転写）される。このとき、一次転写ローラ６０には、トナーの帯電極性とは逆の極性の一次転写電圧（一次転写バイアス）が印加される。なお、この間、二次転写ローラ８０は、中間転写ベルト７０から離間している。
前述の処理と同様の処理が、第２色目、第３色目および第４色目について繰り返して実行されることにより、各画像信号に対応した各色のトナー像が、中間転写ベルト７０に重なり合って転写される。これにより、中間転写ベルト７０上にはフルカラートナー像が形成される。
【００２８】
一方、記録媒体Ｐは、給紙トレイ８２から、給紙ローラ８４、レジローラ８６によって二次転写ローラ８０へ搬送される。
中間転写ベルト７０上に形成されたフルカラートナー像は、中間転写ベルト７０の回転に伴って二次転写位置（すなわち、二次転写ローラ８０と駆動ローラ７１との対向部）に至り、二次転写ローラ８０によって記録媒体Ｐに転写（二次転写）される。このとき、二次転写ローラ８０は中間転写ベルト７０に押圧されるとともに二次転写電圧（二次転写バイアス）が印加される。
記録媒体Ｐに転写されたフルカラートナー像は、定着装置９０によって加熱および加圧されて記録媒体Ｐに融着される。その後、記録媒体Ｐは、排紙ローラ対８７によって画像形成装置１０の外部へ排出される。
【００２９】
一方、感光体２０は一次転写位置を経過した後に、クリーニングユニット７５のクリーニングブレード７６によって、その表面に付着しているトナーが掻き落とされ、次の潜像を形成するための帯電に備える。掻き落とされたトナーは、クリーニングユニット７５内の残存トナー回収部に回収される。
記録媒体の両面に画像形成する場合には、定着装置９０によって一方の面に定着処理された記録媒体Ｐを一旦排紙ローラ対８７により挟持した後に、排紙ローラ対８７を反転駆動するとともに、搬送ローラ対８８Ａ、８８Ｂを駆動して、当該記録媒体Ｐを搬送路８８Ｃを通じて表裏反転して二次転写ローラ８０へ帰還させ、前述と同様の動作により、記録媒体Ｐの他方の面に画像を形成する。
【００３０】
≪定着装置≫
ここで、定着装置９０を図２ないし図６に基づいて詳細に説明する。
図２は、図１に示す画像形成装置に備えられた定着装置の好適な実施形態を示す模式的断面図、図３は、図２に示す定着装置の概略斜視図、図４は、非接触温度センサの断面図、図５は、定着装置における温度制御系を示すブロック図、図６は、図５に示す補正手段の作動を説明するためのフローチャートである。
【００３１】
定着装置９０は、図２に示すように、互いに圧接回転する１対の定着ローラ９１および加圧ローラ９２と、定着ローラ９１を加熱するためのヒータ９３と、定着ローラ９１の表面温度を検知する温度検知手段９４と、定着ローラ９１から定着後の記録媒体を分離するための分離部材９５と、定着ローラ９１および加圧ローラ９２のそれぞれの周面の一部を覆うカバー部材９６と、ヒータ９３の駆動を制御する制御手段９９とを有している。
【００３２】
このような定着装置９０は、定着ローラ９１および加圧ローラ９２の圧接により形成されるニップ部Ｎに対し、図２にて下方から、未定着像を担持する記録媒体がニップ部Ｎへ搬送され、前記記録媒体を加熱および加圧することにより、前記未定着像を前記記録媒体に定着させる。本実施形態では、ニップ部Ｎに搬送される記録媒体は定着ローラ９１側に未定着像を担持している。
このような定着装置９０には、未定着像を担持した記録媒体がニップ部Ｎを通過することにより発生する粉紙、水蒸気およびトナーなど（以下、単に「トナーなど」という）が浮遊している。
【００３３】
定着ローラ９１は、円筒状をなし、その軸線まわりに回転可能となっている。
また、定着ローラ９１は、図２に示すように、円柱状をなす金属製の基部（芯金）９１１と、基部の外周面を覆う弾性層９１２と、弾性層の外周面を覆う離型層９１３とを有している。
また、定着ローラ９１の外周面は、ニップ部Ｎにおいて記録媒体が通過する通紙領域９１ａと、ニップ部Ｎにおいて記録媒体が通過しない非通紙領域９１ｂとを有する。
このような定着ローラ９１の内部空間には、ハロゲンヒータ等のヒータ９３が配設されている。これにより、定着ローラ９１が加熱され、ニップ部Ｎを通過する記録媒体を加熱することができる。
【００３４】
加圧ローラ９２は、円筒状または円柱状をなし、その軸線まわりに回転可能となっているとともに、定着ローラ９１に圧接している。
また、加圧ローラ９２は、円柱状をなす金属製の基部（芯金）９２１と、基部の外周面を覆う弾性層９２２と、弾性層の外周面を覆う離型層９２３とを有している。
このような定着ローラ９１および加圧ローラ９２は、カバー部材９６に回転自在に支持されている。
【００３５】
このような定着装置９０は、定着ローラ９１の表面温度を目標温度に保つことで優れた定着特性を発揮することができる。そこで、本実施形態の定着装置９０は、定着ローラの表面温度を検知するための温度検知手段９４と、温度検知手段９４からの温度情報に基づいてヒータ９３の駆動を制御する制御手段９９とを備えている。これにより、定着ローラ９１の表面温度をより正確に目標温度に保つことができる。以下、温度検知手段９４について詳述する。
【００３６】
温度検知手段９４は、定着ローラ９１の非通紙領域９１ｂに接触して配置された接触温度センサ９４１と、定着ローラ９１に対し非接触で設置され、定着ローラ９１の非通紙領域９１ｂでの温度を検知する非接触温度センサ９４２と、定着ローラ９１に対し非接触で設置され、定着ローラ９１の通紙領域９１ａでの温度を検知する非接触温度センサ９４３と、接触温度センサ９４１によって検知された温度と、非接触温度センサ９４２によって検知された温度との温度差に応じて、非接触温度センサ９４３によって検知された温度を補正する補正手段９４４とを備えている。
【００３７】
このような構成とすることで、非接触温度センサ９４３にトナーなどの汚れが付着することにより、非接触温度センサ９４３によって検知された温度と定着ローラ９１の実際の温度とで温度差が生じる場合であっても、非接触温度センサ９４２の汚れ具合（すなわち、後述するように非接触温度センサ９４３の汚れ具合）に応じて非接触温度センサ９４３によって検知された温度を補正手段９４４により補正することができるため、定着装置９０は、長期にわたり高精度な温度情報を得ることができる。そして、定着装置９０は、優れた定着特性を長期にわたり発揮することができる。
【００３８】
接触温度センサ９４１は、接触温度検知素子９４１ａを有しており、定着ローラ９１の非通紙領域９１ｂに接触して配置されている。これにより、定着時に定着ローラ９１の表面に付着してしまったトナーが、接触温度センサ９４１に付着することを防止することができる。その結果、接触温度センサ９４１は、高精度に定着ローラ９１の温度を検知することができる。
このような、接触温度センサ９４１が有する接触温度検知素子９４１ａについては、特に限定されないが、例えば、サーミスタ素子を好適に用いることができる。
【００３９】
次に、非接触温度センサ９４２および非接触温度センサ９４３について説明する。なお、説明の便宜上、接触温度センサ９４１によって検知された温度をＴＡとし、非接触温度センサ９４２によって検知された温度をＴＢとし、非接触温度センサ９４３によって検知された温度をＴＣとし、ＴＡとＴＢの温度差（ＴＡ−ＴＢ）をΔＴとする。
非接触温度センサ９４２は、図４に示すように、基板９４２ａと、基板９４２ａに設置された非接触温度検知素子９４２ｂと、非接触温度検知素子９４２ｂの周囲を囲むように基板９４２ａに取り付けられた筒状の導光筒９４２ｄと、導光筒９４２ｄの先端の開口を封接する収光レンズ９４２ｅとを有している。すなわち、基板９４２ａ、導光筒９４２ｄおよび収光レンズ９４２ｅで構成されたケーシングに非接触温度検知素子９４２ｂが収容されている。
【００４０】
このような非接触温度センサ９４２は、定着ローラ９１の非通紙領域９１ｂでの温度を検知するように、定着ローラ９１に対し非接触で配置されている。また、非接触温度センサ９４２は、非通紙領域９１ｂの近傍で、かつ、定着ローラ９１と対向するように配置されている。このように非接触温度センサ９４２を配置することにより、定着ローラ９１の軸線方向での、非接触温度センサ９４２の検知部位の幅と接触温度センサ９４１の検知部位の幅とを等しくすることができる。これにより、非接触温度センサ９４２は、接触温度センサ９４１とほぼ同一の部位の温度を検知することができる。
【００４１】
また、非接触温度センサ９４２の検知部位は、図３に示すように、定着ローラ９１の接触温度センサ９４１との接触部位の近傍である。これにより、非接触温度センサ９４２は、接触温度センサ９４１の検知部位とほぼ同じ部位で定着ローラ９１の表面温度を検知することができる。そして、非接触温度センサ９４２の検知温度ＴＢと接触温度センサ９４１の検知温度ＴＡとは、ほぼ同一であるとみなすことができる。そのため、ＴＡとＴＢの温度差ΔＴは、収光レンズ９４２ｅの汚れ具合を示すこととなる。そして、ΔＴ（すなわち収光レンズ９４２ｅの汚れ具合）に応じて、後述する補正手段９４４は、より正確にＴｃの値を補正する。
【００４２】
一方、非接触温度センサ９４３は、非接触温度センサ９４２と同様に、基板９４３ａと、基板９４３ａに設置された非接触温度検知素子９４３ｂと、非接触温度検知素子９４３ｂの周囲を囲むように基板９４３ａに取り付けられた筒状の導光筒９４３ｄと、導光筒９４３ｄの先端の開口を封接する収光レンズ９４３ｅとを有している。すなわち、基板９４３ａ、導光筒９４３ｄおよび収光レンズ９４３ｅで構成されたケーシングに非接触温度検知素子９４３ｂが収容されている。
このような非接触温度センサ９４３は、定着ローラ９１の通紙領域９１ａでの表面温度を検知するように、定着ローラ９１に対し非接触で配置されている。
【００４３】
また、非接触温度センサ９４３は、図３に示すように、非接触温度センサ９４２とほぼ同じ位置に配置されている。これにより、収光レンズ９４２ｅの汚れ具合と収光レンズ９４３ｅの汚れ具合とは、ほぼ同一であるとみなすことができる。そして、補正手段９４４は、ΔＴ（収光レンズ９４２ｅの汚れ具合）に応じてＴＣを補正することにより、正確に通紙領域９１ａでの定着ローラ９１の温度情報を得ることができる。
【００４４】
また、非接触温度センサ９４３と非接触温度センサ９４２とは、定着ローラ９１の周方向に沿って並設されている。このように配置することで、収光レンズ９４２ｅと９４３ｅとをより近づけて、非接触温度センサ９４２と非接触温度センサ９４３とを配置することができる。これにより、収光レンズ９４２ｅの汚れ具合と収光レンズ９４３ｅの汚れ具合とが、ほぼ同一であるとみなすことができる。その結果、補正手段９４４は、ΔＴ（収光レンズ９４２ｅの汚れ具合）に応じてＴＣを補正することにより、より正確に、通紙領域９１ａでの定着ローラ９１の温度情報を得ることができる。
このように、非接触温度検知素子９４２ｂと非接触温度検知素子９４３ｂとが、それぞれ個別のケーシングに収容されることで、非接触温度センサ９４２と非接触温度センサ９４３のそれぞれの位置、角度などの設置の自由度が拡大する。
【００４５】
このような非接触温度検知素子９４２ｂおよび非接触温度検知素子９４３ｂは、それぞれサーモパイル素子であることが好ましい。サーモパイル素子は、赤外線を利用して対象物（定着ローラ９１）の温度を検知するため、温度検知の応答性が優れており、より正確な温度を検知することができる。
また、非接触温度検知素子９４２ｂおよび非接触温度検知素子９４３ｂは、同一の構造を有するサーモパイル素子であることが好ましい。これにより、非接触温度検知素子９４２ｂと非接触温度検知素子９４３ｂとの個体差（検知温度の差）を小さくすることができる。
なお、非接触温度センサ９４２、９４３の構成は、本実施形態に限定されず、例えば、収光レンズ９４２ｅ、９４３ｅに代えて、光透過性を有するフィルムやガラス板などを用いてもよい。
【００４６】
次に、ΔＴに応じて、温度Ｔｃを補正する補正手段９４４について詳述する。
なお、説明の便宜上、定着装置９０が起動してから定着ローラ９１の表面温度が目標温度に到達すまでの動作を「ウォームアップ」といい、定着装置９０が起動してから定着ローラ９１の温度が目標温度に到達したときを「ウォームアップ完了時」といい、図示しないホストコンピュータからの指令により、所定枚数の記録媒体を連続して定着処理する場合、最初の記録媒体の先端がニップ部Ｎに搬入されてから、最後の記録媒体の後端がニップ部Ｎから排出されるまでの時間を「定着時」といい、起動状態の定着装置９０における定着時と定着時の間の時間を「待機時」という。
【００４７】
補正手段９４４は、ΔＴに応じた補正係数αを算出（選択）し、補正係数αを用いて非接触温度センサ９４３（非接触温度検知素子９４３ｂ）によって検知された温度Ｔｃを補正し、また、補正係数αを所定期間ごとに更新するように構成されている。これにより、定着装置９０の使用時間とともに変化するΔＴに応じて補正係数αを更新することができ、実際の収光レンズ９４２ｅの汚れ具合に応じた補正係数αに基づいてＴｃを補正することができる。その結果、定着ローラ９１の温度を正確に検知することができるため、定着ローラ９１の温度を目標温度付近に保つことができる。したがって、定着装置９０は、優れた定着特性を発揮することができる。
【００４８】
このような補正係数αとしては、特に限定されず、例えば、ΔＴの値そのものであってもよいし、あらかじめ場合割けされた複数の補正係数の中からＴＡの値およびＴＢの値に対応する補正係数を選択するものであってもよいし、ΔＴを演算処理することにより補正係数αを算出するもの等であってもよい。
なお、ΔＴを演算処理することにより補正係数αを算出する方法としては、例えば、ΔＴに、ΔＴの値によって定まる係数Ｋを掛けて補正係数αを求めてもよい。係数Ｋとしては、例えば、ΔＴが０から３程度の場合にはＫ＝０、ΔＴが３から８程度の場合にはＫ＝１、ΔＴが８以上の場合にはＫ＝０．８としてもよい。
【００４９】
また、このようにして求められた補正係数αに基づいてＴｃを補正する方法としては、特に限定されないが、例えば、ΔＴの値そのものを補正係数αとして使用した場合には、Ｔｃの値に補正係数αを加算して補正を行ってもよいし、ΔＴを演算処理することにより補正係数αを算出した場合には、補正係数αをＴｃの値に掛ける補正などを行ってもよい。
【００５０】
また、温度検知手段９４は、ウォームアップ完了時に、補正係数αを更新するよう構成されている。このように、ウォームアップ完了時に補正係数αの更新を行うことにより、温度検知手段９４は、定期的に補正係数αの更新を行うことができる。また、ウォームアップを行う毎に、同じ条件のもとで定着ローラ９１の温度を検知するため、より正確な補正係数αを算出することができる。
【００５１】
また、温度検知手段９４は、定着装置９０の定着時には、補正係数αの更新を行わない。すなわち、定着時は、一定の補正係数αに基づいて、温度ＴＣを補正する。ここで、定着時は、記録媒体がニップ部を通過する影響で定着ローラ９１の温度変化が生じやすい。また、接触温度センサ９４１と非接触温度センサ９４２とでは、温度検知の応答性に差がある。そのため、定着時には、ΔＴの変動が大きく、このようなΔＴに応じて補正係数αを算出してしまうと、正確な補正係数αを算出することができなくなる場合がある。このような理由から、定着時には、補正係数αを算出せずに、一定の補正係数αを用いてＴｃを補正することで、定着ローラ９１の温度を目標温度付近に保つことができる。そして、定着装置９０は、優れた定着特性を発揮することができる。
【００５２】
また、温度検知手段９４は、定着装置９０が、所定枚数（更新枚数）の記録媒体を定着処理するごとに、補正係数αの更新を行う。これにより、定期的に補正係数αを更新することができ、収光レンズ９４２ｅの実際の汚れ具合に応じた補正係数αに基づいて温度ＴＣを補正することができる。また、例えば、定着装置９０を起動させ続けている場合には、ウォームアップ完了時での補正係数αの更新を定期的に行うことができない。そこで、このように所定枚数の記録媒体を定着処理した場合にも補正係数αを更新することにより、起動状態が長時間続いている場合であっても、定期的に補正係数αを更新することができ、定期的に更新された補正係数αに基づいてＴｃを補正することにより、より正確な定着ローラ９１の温度情報を得ることができる。
【００５３】
なお、複数枚の記録媒体を連続して定着処理している途中で、更新枚数を超えた場合であっても、その時点では補正係数αの更新は行わず、その定着処理が終了してから（すなわち、次の待機時に）補正係数αの更新を行う。
このようにして求められた補正係数αを用いて温度Ｔｃを補正することで得られた定着ローラ９１の温度情報に基づき、制御手段９９により、定着ローラ９１の外表面が目標温度となるように、前述したヒータ９３の駆動が制御される。これにより、定着ローラ９１の温度を目標温度付近に保つことができる。
【００５４】
なお、本実施形態では、前述したように、定着装置９０が所定枚数（更新枚数）の記録媒体を定着処理するごとに補正係数αの更新を行うよう構成されているが、これに限定されず、例えば、現像ユニット５０において所定のトナー量が使用された場合に、温度検知手段９４が補正係数αの更新を行うものであってもよいし、所定時間が経過した場合に、温度検知手段９４が補正係数αを更新するものであってもよい。また、これらを組み合わせてもよい。
【００５５】
次に、このような温度検知手段９４の作動について図５に基づいて説明する。
まず、定着装置９０の駆動が開始されると、温度検知手段９４は、図示しない記憶手段から前回の定着時に用いた補正係数αを読み込む（Ｓ１）。次に、温度検知手段９４は、補正係数αを用いてＴＣを補正する（Ｓ２）。
次に、温度検知手段９４は、定着装置９０が定着時であるか否かを判断する（Ｓ３）。温度検知手段９４は、定着装置９０が定着時であると判断した場合には、補正係数αの更新を行わず、Ｓ２で求められた温度情報を出力する。
【００５６】
一方、定着装置９０が定着時でないと判断した場合には、温度検知手段９４は、定着装置９０がウォームアップ中であるか否かを判断する（Ｓ４）。
定着装置９０がウォームアップ中であると判断した場合には、温度検知手段９４は、定着ローラ９１の温度が目標温度に到達したか否かを判断する（Ｓ６）。すなわち、補正係数αに基づいて温度ＴＣを補正することにより得られた温度情報が目標温度に到達したか否かを判断する。
【００５７】
定着ローラ９１の温度が目標温度に到達していないと判断した場合には、温度検知手段９４は、定着ローラ９１の温度が目標温度に到達するまでＳ６を繰り返す。
Ｓ６にて、定着ローラ９１の温度が目標温度に到達していると判断した場合には、補正手段９４４は、補正係数αを更新するためにＴＡとＴＢを比較し、温度差ΔＴを求める（Ｓ７）。
ΔＴを求めた後は、そのΔＴの値に対応した補正係数α’を算出する（Ｓ８）。
【００５８】
このようにして求められた補正係数α’は、前述した記憶手段に記憶された補正係数αと書き換えられる（Ｓ９）。すなわち、補正係数はαからα’へ更新される。これにより、一定の周期で補正係数αを更新することができるため、定着ローラ９１の温度情報をより正確に得ることができる。
そして、補正手段９４４は、更新された補正係数α’に基づいてＴＣの補正を行うこととなる（Ｓ１０）。これにより、温度検知手段９４は、長期にわたり、正確な定着ローラ９１の温度情報を提供することができる。
【００５９】
また、Ｓ４にて、定着装置９０がウォームアップ中でないと判断した場合、すなわち待機時であると判断した場合には、温度検知手段９４は、定着装置９０の定着枚数が更新枚数に達しているか否かを判断する（Ｓ５）。
定着装置９０の定着枚数が所定枚数に達していないと判断した場合には、温度検知手段９４は、補正係数αの更新を行わず、Ｓ２で求められた温度情報を出力する。
一方、定着装置９０の定着枚数が所定枚数に達していいると判断した場合には、前述したＳ６からＳ１０を実行する。すなわち、補正係数αの更新を行う。
【００６０】
＜第２実施形態＞
本発明の第２実施形態を図７に基づき説明する。以下、第２実施形態について、前述した第１実施形態との違いを中心に説明し、同様の事項についてはその説明を省略する。
図７は、本実施形態にかかる非接触温度センサを示す模式的断面図である。
本実施形態の定着装置９０Ａは、非接触温度センサ９４５Ａの構成が異なる以外は、第１実施形態の定着装置９０と同様である。
【００６１】
本実施形態にかかる非接触温度センサ９４５Ａは、基板９４５Ａ１と、基板９４５Ａ１に設置された非接触温度検知素子９４２ｂおよび非接触温度検知素子９４３ｂと、非接触温度検知素子９４２ｂおよび非接触温度検知素子９４３ｂの周囲を囲むように基板９４５Ａ１に取り付けられた筒状の導光筒９４５Ａ２と、導光筒９４５Ａ２の先端の開口を封接する収光レンズ９４５Ａ３とを有している。すなわち、基板９４５Ａ１、導光筒９４５Ａ２および収光レンズ９４５Ａ３で構成されたケーシングの内部に非接触温度検知素子９４２ｂおよび非接触温度検知素子９４２ｂが収容されている。これにより、部品点数を減らすことができ、製造コストを削減することができる。
【００６２】
また、非接触温度検知素子９４２ｂと非接触温度検知素子９４３ｂとは、同一の収光レンズ９４５Ａ３を用いている。そのため、収光レンズ９４５Ａ３にトナーなどが付着することで生ずる非接触温度検知素子９４２ｂの実際の温度との検知誤差と、収光レンズ９４５Ａ３にトナーなどが付着することで生ずる非接触温度検知素子９４３ｂの実際の温度との検知誤差とを等しくすることができる。これにより、温度検知手段９４Ａは、より正確にかつ簡単にＴｃの補正を行うことができる。
以上説明したような第２実施形態においても、前述した第１実施形態と同様の効果を得ることができる。
【００６３】
＜第３実施形態＞
本発明の第３実施形態を図８、図９に基づき説明する。以下、第３実施形態について、前述した第１実施形態との違いを中心に説明し、同様の事項についてはその説明を省略する。
図８は、本実施形態にかかる定着装置の断面図、図９は、図８に示す定着装置の部分断面斜視図である。
本実施形態の定着装置９０Ｂは、遮断手段９７Ｂを有する以外は、第１実施形態の定着装置９０と同様である。
【００６４】
定着装置９０Ｂには、カバー部材９６Ｂの内壁面と定着ローラ９１の外周面とで空間９８Ｂが区画形成されている。このような空間９８Ｂには、未定着像を担持する記録媒体がニップ部Ｎで加熱・加圧されることにより発生する水蒸気やトナーなどが浮遊している。このような、水蒸気やトナーは、ニップ部Ｎにて記録媒体の搬送方向下流側近傍の空間に特に浮遊している。
【００６５】
さらに、定着ローラ９１が回転することにより、空間９８Ｂには、定着ローラ９１の回転方向と同方向であって、ニップ部Ｎから非接触温度センサ９４２および非接触温度センサ９４３へ向う気流（以下、単に「気流」という）が発生する。これにより、空間９８Ｂに浮遊している水蒸気やトナーなどが、前記気流により運ばれ、非接触温度センサ９４２および非接触温度センサ９４３に付着し、収光レンズ９４２ｅおよび収光レンズ９４３ｅが汚れることで非接触温度センサ９４２および非接触温度センサ９４３により検知された温度が、実際の定着ローラ９１の温度よりも低くなるという問題が生じる。そこで、定着装置９０Ｂは、このような温度誤差を補正するために、補正手段９４４を有する温度検知手段９４を有している。
【００６６】
ここで、収光レンズ９４２ｅおよび収光レンズ９４３ｅにトナーなどが付着することを抑制できれば、収光レンズ９４２ｅおよび収光レンズ９４３ｅの過度な汚れを長期にわたり防止することができる。また、収光レンズ９４２ｅおよび収光レンズ９４３ｅの過度な汚れを防止することで、補正手段９４４による温度補正をより正確に行うことができる。
そこで、本実施形態では、空間９８Ｂに発生する前記気流を遮断して、収光レンズ９４２ｅおよび収光レンズ９４３ｅにトナーなどが付着することを抑制する遮断手段９７Ｂを備える。
【００６７】
以下、遮断手段９７Ｂについて詳述する。
このような遮断手段９７Ｂは、隔壁９７１Ｂで構成されている。
隔壁９７１Ｂは、図８に示すように、カバー部材９６Ｂの内壁から定着ローラ９１に向けて突出している。このような隔壁９７１Ｂは、カバー部材９６Ｂと一体的に形成することができ、部品数の削減、製造コストの削減などを図ることができる。
【００６８】
隔壁９７１Ｂは、定着ローラ９１の回転方向に沿って、ニップ部Ｎの下流側、隔壁９７１Ｂおよび非接触温度センサ９４２、９４３の順に配置されている。さらに、隔壁９７１Ｂが、定着ローラ９１の回転軸方向での全域にわたり延在している。このように隔壁９７１Ｂを配設することで、気流を非接触温度センサ９４２、９４３の手前で遮断することができる。
【００６９】
このような気流には、未定着像を担持した記録媒体Ｐがニップ部Ｎを通過することにより発生するトナーなどが含まれており、気流を遮断することにより、トナーなどが収光レンズ９４２ｅおよび収光レンズ９４３ｅに付着することを効果的に抑制し、収光レンズ９４２ｅおよび収光レンズ９４３ｅの過度な汚れを防止することができる。これにより、補正手段９４４による温度補正をより正確に行うことができる。
【００７０】
このような隔壁９７１Ｂは、延在方向を長手とする板状をなし、その短手方向（突出方向）にて、カバー部材９６Ｂに固定されている側の端を「基端」といい、基端と逆側の端を「先端」という。
また、隔壁９７１Ｂの先端（突出方向での先端）は、定着ローラ９１の回転軸方向の全域にわたって定着ローラ９１の外周面と接触している。これにより、隔壁９７１Ｂは、気流を非接触温度センサ９４２、９４３の手前で、より確実に遮断することができる。そのため、気流に含まれるトナーなどが、収光レンズ９４２ｅおよび収光レンズ９４３ｅに付着することを抑制することができる。その結果、収光レンズ９４２ｅおよび収光レンズ９４３ｅの過度な汚れを防止することができ、補正手段９４４による温度Ｔｃの補正をより正確に行うことができる。
【００７１】
さらに、隔壁９７１Ｂは、定着ローラ９１の外周面と接触しているため、定着ローラ９１が回転し、記録媒体を加熱・加圧することにより定着ローラ９１の外周面に残余した（付着してしまった）トナーを定着ローラ９１の外周面から除去することができる。これにより、定着ローラ９１の回転方向にて隔壁９７１Ｂの下流側では、定着ローラ９１の外周面にトナーが残余していないため、定着ローラ９１に残余したトナーがヒータ９３から発せられる熱により気化し、その気化物（以下、単に「気化物」という）が、非接触温度センサ９４２および非接触温度センサ９４３の近傍に浮遊し、収光レンズ９４２ｅおよび収光レンズ９４３ｅに付着することを抑制することができる。その結果、収光レンズ９４２ｅおよび収光レンズ９４３ｅの過度な汚れを防止することができ、補正手段９４４による温度補正をより正確に行うことができる。
【００７２】
ここで、隔壁９７１Ｂは、定着ローラ９１に接触しているため、隔壁９７１Ｂの形状によっては、定着ローラ９１の外周面（離型層９１３）に損傷を与える可能性がある。このような観点から、隔壁９７１Ｂは、その先端部９７２Ｂ（定着ローラ９１と接触している部分）が丸み付けされていることが好ましい。このように、先端部９７２Ｂが丸み付けされていることにより定着ローラ９１の外周面（離型層９１３）に損傷を与えることを防止することができる。
【００７３】
一方、定着ローラ９１の外周面に残余したトナーを除去しやすくするという観点からすると、隔壁９７１Ｂの先端部９７２Ｂが先細りしていることが好ましい。
また、隔壁９７１Ｂの先端部９７２Ｂは、ゴムなどの優れた弾性を有する部材で構成されているのが好ましい。これにより、定着ローラ９１の外周面に損傷を与えることを防止することができる。
【００７４】
また、隔壁９７１Ｂの先端部９７２Ｂが、優れた弾性を有することにより定着ローラ９１の外周面を追従することができる。言い換えれば、定着ローラ９１の回転によって、定着ローラ９１の外周面と隔壁９７１Ｂとの間に隙間が生ずるのを防止することができる。これにより、定着ローラ９１に残余したトナーをより確実に除去することができる。その結果、定着ローラ９１の回転方向にて隔壁９７１Ｂの下流側では、定着ローラ９１の外周面にトナーが残余していないため、気化物が非接触温度センサ９４２および非接触温度センサ９４３の近傍に浮遊し、収光レンズ９４２ｅおよび収光レンズ９４３ｅに付着することを抑制することができる。その結果、収光レンズ９４２ｅおよび収光レンズ９４３ｅの過度な汚れを防止することができ、補正手段９４４は、より正確に温度補正を行うことができる。
また、隔壁９７１Ｂの先端部９７２Ｂは、定着ローラ９１の回転方向上流側へ向けて突出し、かつ、定着ローラ９１と接触している。言い換えすると、隔壁９７１Ｂは、定着ローラ９１にいわゆるカウンタ当接している。これにより、定着ローラ９１の外周面に残余したトナーをより確実に定着ローラ９１の表面から除去することができる。
【００７５】
このような隔壁９７１Ｂは、図８に示すように、先端部９７２Ｂが鉛直方向斜め上方を向くように配置されている。これにより、隔壁９７１Ｂと定着ローラ９１との接触により除去されたトナーをその自重により隔壁９７１Ｂの基端に向けて移動させることができる。したがって、隔壁９７１Ｂによって除去されたトナーが、隔壁９７１Ｂの先端部９７２Ｂに堆積することを防止することができる。その結果、定着ローラ９１の回転などにより生じ得る定着ローラ９１と隔壁９７１Ｂとの隙間からトナーが漏れ出すことを防止することができる。また、隔壁９７１Ｂの先端部９７２Ｂに堆積したトナーが隔壁９７１Ｂの先端などに付着することを防止することができ、隔壁９７１Ｂは、優れたトナー除去性能を発揮することができる。
このように定着ローラ９１から除去されたトナーは、隔壁９７１Ｂに沿って移動し集積ケース９７３Ｂに集積される。
【００７６】
集積ケース９７３Ｂは、図９に示すように、カバー部材９６の外壁面に設けられている。また、カバー部材９６Ｂには、開口９６４Ｂが形成されており、この開口９６４Ｂを通じて、隔壁９７１Ｂに沿って移動してきたトナーを集積する。これにより、隔壁９７１Ｂの先端などにトナーが付着することを防止することができ、隔壁９７１Ｂは、優れたトナー除去性能を発揮することができる。
以上説明したような第２実施形態においても、前述した第１実施形態と同様の効果を得ることができる。
【００７７】
以上、本発明について、好適な実施形態に基づいて説明したが、本発明はこれに限定されるものではない。
例えば、本発明の画像形成装置を構成する各部は、同様の機能を発揮する任意のものと置換、または、その他の構成を追加することもできる。
また、補正係数αの定め方および補正係数αを用いたＴｃの補正の方法について例示したが、補正係数αの定め方および補正係数αを用いたＴｃの補正の方法は、これに限定されるものではない。
また、前述した実施形態では、定着部材として定着ローラを用いたものについて説明したが、これに限定されず、例えば、定着ベルトなどであってもよい。また同様に、加圧部材として加圧ベルトなどを用いてもよい。
【図面の簡単な説明】
【００７８】
【図１】本発明の第１実施形態にかかる画像形成装置を示す全体構成の模式的断面図である。
【図２】図１に示す画像形成装置に備えられた定着装置の好適な実施形態を示す模式的断面図である。
【図３】図２に示す定着装置の概略斜視図である。
【図４】非接触温度センサの模式的断面図である。
【図５】本実施形態の定着装置における温度制御系を示すブロック図である。
【図６】図５に示す補正手段の作動を説明するためのフローチャートである。
【図７】第２実施形態にかかる非接触温度センサを示す模式的断面図である。
【図８】第３実施形態にかかる定着装置の断面図である。
【図９】図８に示す定着装置の部分断面斜視図である。
【符号の説明】
【００７９】
１０‥‥‥画像形成装置  ２０‥‥‥感光体  ３０‥‥‥帯電ユニット  ４０‥‥‥露光ユニット  ５０‥‥‥現像ユニット  ５０ａ‥‥‥軸  ５１‥‥‥ブラック現像装置  ５２‥‥‥マゼンタ現像装置  ５３‥‥‥シアン現像装置  ５４‥‥‥イエロー現像装置  ５５‥‥‥保持体  ５５ａ〜５５ｄ‥‥‥保持部  ６０‥‥‥一次転写ローラ  ６１‥‥‥中間転写体  ７０‥‥‥中間転写ベルト  ７１‥‥‥駆動ローラ  ７２‥‥‥従動ローラ  ７３‥‥‥基体  ７５‥‥‥クリーニングユニット  ７６‥‥‥クリーニングブレード  ８０‥‥‥二次転写ローラ  ８２‥‥‥給紙トレイ  ８４‥‥‥給紙ローラ  ８６‥‥‥レジローラ  ８７‥‥‥排紙ローラ対  ８８‥‥‥搬送部  ８８Ａ、８８Ｂ‥‥‥搬送ローラ対  ８８Ｃ‥‥‥搬送路  ９０、９０Ａ、９０Ｂ‥‥‥定着装置  ９１‥‥‥定着ローラ  ９１ａ‥‥‥通紙領域  ９１ｂ‥‥‥非通紙領域  ９２‥‥‥加圧ローラ  ９１１、９２１‥‥‥基部（芯金）  ９１２、９２２‥‥‥弾性層  ９１３、９２３‥‥‥離型層  ９３‥‥‥ヒータ  ９４‥‥‥温度検知手段  ９４１‥‥‥接触温度センサ  ９４１ａ‥‥‥接触温度検知素子  ９４２、９４３、９４５Ａ‥‥‥非接触温度センサ  ９４２ａ、９４３ａ、９４５Ａ１‥‥‥基板  ９４２ｂ、９４３ｂ、‥‥‥非接触温度検知素子  ９４２ｄ、９４３ｄ、９４５Ａ２‥‥‥導光筒  ９４２ｅ、９４３ｅ、９４５Ａ３‥‥‥収光レンズ  ９４４‥‥‥補正手段  ９５‥‥‥分離部材  ９６、９６Ｂ‥‥‥カバー部材  ９６４Ｂ‥‥‥開口  ９７Ｂ‥‥‥遮断手段  ９７１Ｂ‥‥‥隔壁  ９７２Ｂ‥‥‥先端部  ９７３Ｂ‥‥‥集積ケース  ９８Ｂ‥‥‥空間  ９９‥‥‥制御手段  Ｎ‥‥‥ニップ部  Ｐ‥‥‥記録媒体
【図１】
2007316169.tif 000003
【図２】
2007316169.tif 000004
【図３】
2007316169.tif 000005
【図４】
2007316169.tif 000006
【図５】
2007316169.tif 000007
【図６】
2007316169.tif 000008
【図７】
2007316169.tif 000009
【図８】
2007316169.tif 000010
【図９】
2007316169.tif 000011